(57)【要約】      （修正有）【課題】コネクタ受容器からのコネクタの着脱を容易に行うこと。【解決手段】コネクタ取り付け受容器４０は、取り付け基部４１か、又は、離間された歯と、コネクタ４３を該受容器に解放可能に取り付け得るようにモジュラー式コネクタの取り付けスロット４６、４８に係合し得るように配置された弾性的な掛止め部１０６とを有する壁板６５の何れかを備える。コネクタは、壁板に形成された横方向ストッパに係合し得るように配置された隅部取り付けスロット６６を備えている。鋼製の壁板受容器は導電性金属で一体に形成されており、また、受容器に形成された遮蔽コネクタに解放可能に掛止めすると同時に、コネクタを導電可能に接地し得る形態とされている。【選択図】図１
2004158459.tif 000002
【特許請求の範囲】
【請求項１】
コネクタの前面及び背面に配置された前方及び後方取り付けスロットを有するモジュラー式コネクタを取り付ける受容器であって、
平面状の基部と、
前記コネクタを該基部に解放可能に固着し得るよう該基部に一体に形成された掛止め手段であって、前記コネクタの前記前方取り付けスロットに係合し得るよう前記基部に形成された前方掛止め歯と、掛止め壁に形成され、前方掛止め歯と整合され且つ該前方掛止め歯から離間された弾性的な取り付け後方掛止め歯とを有する前記掛止め手段とを備え、
該後方掛止め歯が、前記掛止め手段により固着された前記コネクタの後方取り付けスロットに係合し得るように配置され、
前記掛止め壁が、前記基部の面に形成された弾性的な片持ち状基部アームの端部に形成され且つ該基部アームに対して垂直である受容器にして、
前記後方掛止め歯が、前記コネクタを前記基部に弾性的に掛止めし得るように配置され、前記掛止め壁を前記コネクタから離れる方向に回転させて、前記後方掛止め歯を前記コネクタの後方スロットから非係合状態にすることにより、前記コネクタが前記基部から解放可能であるようにしたことを特徴とする受容器。
【請求項２】
請求項１に記載の受容器にして、前記基部アームが、該基部に形成されたスロットにより前記基部に画成されることを特徴とする受容器。
【請求項３】
受容器組立体にして、
コネクタを受け入れ且つ取り付け得るように離間した第一及び第二の縁部を有する孔が形成されたコネクタ取り付け受容器を備え、該受容器が、第一の縁部に隣接して形成された弾性的なコネクタ係合掛止め部と、前記第二の縁部に隣接して形成されたコネクタ係合歯と、前記孔の横方向隅部の前記掛止めに隣接して形成された離間された横方向ストッパとを備え、
該孔の第二の縁部に形成された前記歯に係合し得るように前記コネクタの前面の第一の縁部に隣接して形成されたスロット手段と、コネクタの前面の隣接する隅部に形成された離間された隅部スロットとを有するコネクタを備え、
該隅部スロットが、コネクタの前面から引っ込み且つコネクタを前記受容器に掛止めしたとき、前記コネクタの取り付け受容器の横方向ストッパを受け入れ得るように配置されたことを特徴とする受容器組立体。
【請求項４】
請求項３に記載の受容器組立体にして、前記受容器が導電性金属で一体に形成され、
前記コネクタが、該コネクタを前記受容器に掛止めしたとき、該受容器に導電可能に接地された導電性の遮蔽面を備えることを特徴とする受容器組立体。
【請求項５】
請求項４に記載の受容器組立体にして、前記コネクタ掛止め部が、前記受容器の面に対して垂直に配置された平面状の片持ち状アームであり、該片持ち状アームが、前記コネクタの後縁部に係合し得るように配置された該片持ち状アームの面外に形成された刺状部分を有することを特徴とする受容器組立体。
【請求項６】
請求項４に記載の受容器組立体にして、前記コネクタ掛止め部が、前記受容器の面に対して垂直に配置された平面状の片持ち状アームであり、該片持ち状アームが、該アームの対向する横縁部で該片持ち状アームの面外に形成された刺状部分を有し、該刺状部分が前記コネクタの後縁部に係合し得るように配置されることを特徴とする受容器組立体。
【請求項７】
請求項４に記載の受容器組立体にして、前記受容器が、前面と、第一のフランジと、第二のフランジとを備え、
前記掛止め部が、該第一のフランジに形成され、前記コネクタ係合歯が、前記第二のフランジに形成されることを特徴とする受容器組立体。
【請求項８】
請求項７に記載の受容器組立体にして、前記コネクタ係合歯がＶ字形であり、該歯が、前記第二のフランジに形成された片持ち状アームの末端に形成され、該コネクタを引き出すだけで該コネクタを前記歯から非係合状態にさせることができることを特徴とする受容器組立体。
【請求項９】
請求項４に記載の受容器組立体にして、前記コネクタ係合掛止め部が、該掛止め部を前記コネクタから係合解除し易くする解放タブ手段を備えることを特徴とする受容器組立体。
【請求項１０】
コネクタ受容器にして、
略平面状の面に形成された孔を有する単一体の導電性金属本体を備え、該孔が、コネクタを受け入れ且つ取り付け得るように離間された第一及び第二の縁部を有し、
該孔の第一の縁部に隣接する面から略垂直に突出する弾性的で片持ち状のコネクタ係合掛止め部と、前記第二の縁部に形成されたコネクタ係合歯とを備えることを特徴とするコネクタ受容器。
【請求項１１】
請求項１０に記載の受容器にして、前記孔の横方向隅部に前記掛止めに隣接して形成された、離間した横方向ストッパを備えることを特徴とする受容器。
【請求項１２】
請求項１０に記載の受容器にして、前記コネクタ掛止め部が前記受容器の面に対して垂直に配置された平面状の片持ち状アームであり、該アームが、前記コネクタの後縁部に係合し得るように配置された、該片持ち状アームの面外に形成された刺状部分を備えることを特徴とする受容器。
【請求項１３】
請求項１０に記載の受容器にして、前記コネクタ掛止め部が前記受容器の面に対して垂直に配置された平面状の片持ち状アームであり、該アームが、該アームの対向する横方向縁部の片持ち状アームの面外に形成されたコネクタ係合刺状部分を備えることを特徴とする受容器。
【請求項１４】
請求項１３に記載の受容器にして、前記受容器が、前面と、第一のフランジと、第二のフランジとを有するＣ字形の形状であり、
前記掛止め部が該第一のフランジに形成され、前記コネクタ係合歯が該第二のフランジに形成されることを特徴とする受容器。
【請求項１５】
請求項１４に記載の受容器にして、前記コネクタ係合歯がＶ字形であり、該コネクタ係合歯が、前記第二のフランジに形成された片持ち状アームの末端に形成され、該コネクタを引き出すだけで該コネクタが前記歯から非係合状態にし得るようにしたことを特徴とする受容器。
【請求項１６】
請求項１０に記載の受容器にして、前記コネクタ係合掛止め部が、前記コネクタからの掛止め部の係合解除を促進させる解放タブ手段を備えることを特徴とする受容器。
【請求項１７】
請求項１０に記載の受容器にして、前記コネクタ係合歯が、前記平面状面から内方に引っ込んでいることを特徴とする受容器。
【請求項１８】
請求項１２に記載の受容器にして、前記刺状部分がフック状の形状であることを特徴とする受容器。
【発明の詳細な説明】
【技術分野】
【０００１】
本発明は、全体として、モジュラー式の電気コネクタを着脱可能に取り付ける受容器に関する。
【背景技術】
【０００２】
多くの異なるコネクタの取り付け受容器が提案されているが、より狭い面積により多くのコネクタを提供し得るように、モジュラー式コネクタの寸法を小さくすることが不断に要請されている。
【発明の開示】
【発明が解決しようとする課題】
【０００３】
このため、当該技術の改良のため常に要求されている、機能と製造の経済性とを最良に組み合わせたものは従来技術では皆無であるから、コネクタの取り外し、及び交換が容易である一方で、より小型の寸法のモジュラー式コネクタを近接させて確実に、しかし着脱可能に取り付けることのできる、改良に係る受容器が要請されている。
【０００４】
本発明の目的は、コネクタを受容器から取り外し、また、所望に応じてコネクタと交換し得るように、一又は複数のモジュラー式の電気コネクタを各受容器内に確実に取り付けることのできる、改良に係るモジュラー式コネクタの取り付け受容器を提供することである。
【０００５】
本発明のもう一つの目的は、より小型のコネクタをより高密度にて着脱可能に取り付けることのできる、改良に係るモジュラー式コネクタの取り付け受容器を提供することである。
【０００６】
本発明の更に別の目的は、着脱可能に掛止めすると同時に、コネクタが掛止めされたとき、遮蔽コネクタを受容器に接地する、導電性金属で出来た受容器を提供することである。
【０００７】
本発明の更に別の目的は、製造が簡単で且つ経済的である、改良に係るモジュラー式コネクタの取り付け受容器を提供することである。
【課題を解決するための手段】
【０００８】
全体として、コネクタの前面及び背面に形成された前方取り付けスロット及び後方取り付けスロットを有するモジュラー式コネクタを取り付ける基部受容器は、平面状基部と、コネクタを該基部に着脱可能に固着し得るよう該基部内に一体に形成された掛止め手段であって、コネクタの前方取り付けスロットに係合し得るように配置されて、基部に形成された前方掛止め歯と、前方掛止め歯と整合され且つ該掛止め歯から離間された掛止め壁に形成された、弾性的に取り付けられた後方掛止め歯であって、掛止め手段により固着されたコネクタの後方取り付けスロットに係合し得るように配置された該後方掛止め歯とを有する上記掛止め手段とを備え、該掛止め壁が、基部の面に形成された弾性的な片持ち基部アームの端部にて且つ該基部に対して垂直に形成され、
前記後方歯がコネクタを基部に弾性的に掛止め可能に配置されて、該コネクタが掛止め壁をコネクタから回転させることにより基部から解放され、後方掛止め歯がコネクタの後方スロットから非係合状態となり得るようにしたことを特徴とする。
【０００９】
受容器の壁板組立体は、コネクタを受け入れ且つ取り付け得るように離間した第一及び第二の縁部が設けられた孔を有するコネクタ取り付け受容器を備え、第一の縁部に隣接して形成された弾性的なコネクタ係合掛止め部と、第二の縁部に隣接して形成されたコネクタ係合歯と、上記孔の横方向隅部にて掛止め部に隣接して離間して形成された横方向ストッパと、コネクタの第一の縁部に隣接して形成されたスロット手段であって、孔の第二の縁部に形成された歯に係合するスロット手段と、コネクタの前面の隣接する隅部に形成された離間した隅部スロットと、コネクタの前面からの切込み部であって、コネクタを受容器に掛止めしたとき、コネクタ取り付け受容器の横方向ストッパを受け入れ得るように配置された切込み部とを備えている。
【００１０】
金属製の壁板受容器は、略平面状の面に形成された孔を有する単一体の導電性金属本体を備えており、該孔は、コネクタを受け入れ且つ取り付け得るように離間された第一及び第二の縁部を備え、該受容器は、該孔の第一の縁部に隣接して該面から略垂直に突出する弾性的な片持ちコネクタ係合掛止め部と、第二の縁部に形成されたコネクタ係合歯とを備えている。
【発明を実施するための最良の形態】
【００１１】
本発明の着想を具体化するコネクタの受容器箱組立体は、添付図面において、全体として符号４０で表示されている。図１乃至図６に図示するように、該受容器組立体４０は、単一体のプラスチック製基部４１と、単一体のプラスチック製カバー４２とを備えている。図１及び図７乃至図１１に最も良く図示したモジュラー式連通コネクタ４３は、基部４１内に着脱可能に取り付け得る形態とされている。コネクタ４３は、該コネクタ４３の前面に形成されたモジュラー・プラグを受け入れるソケット４４を備えている。矩形の前面取り付けスロット４６（図１）と、後方取り付けスロット４８（図１１）と、中央に配置された切欠き５１（図９）を有するＴ字形の中央底部取り付けスロット５０とが、コネクタ４３の前面の下方縁部に隣接してその中間に配置されている。コネクタ４３は、本発明の掛止め機構内に取り付け得る形態とされた一つの型式のコネクタを示すものであるが、同軸状コネクタのような任意の型式のコネクタに対して、本発明のそれぞれの実施例に使用される本明細書に記載した掛止め機能部分を設けることができる。
【００１２】
基部４１は、横方向に隣接したコネクタ取り付け機能部分を複数、備えており、該機能部分の各々は、離間し且つ対向した前面掛止め歯５３と、後方掛止め歯５４とを備えており、これらの掛止め歯は、それぞれ、コネクタ４３の前方取り付けスロット４６及び後方取り付けスロット４８内に受け入れ得るように配置されている。後方掛止め歯５４は、掛止め壁５５の中間に配置されており、該壁５５から直角に突出している。掛止め壁５５は、基部４１の床部分に形成された弾性的な片持ちアーム５７の一端にて直角にスロット５８により一体に形成されている（図２参照）。片持ちアーム５７及び掛止め壁５５は、後方掛止め歯５４を弾性的に位置決めし、コネクタ４３を基部４１と掛止め係合するように挿入したとき、後方掛止め歯５４が弾性的に外方にカム動作するようにしてある。コネクタ４３を基部４１内に掛止めするためには、基部４１の前面掛止め歯５３をコネクタ４３の前面取り付けスロット４６内に挿入し、また、コネクタ４３を弾性的な後方掛止め歯５４を経て後方に回転させる。該後方掛止め歯は、コネクタ４３の後方取り付けスロット４８と整合され且つスロット４８内に弾性的に内方に偏倚される迄（図５参照）、外方にカム動作する。基部４０と一体に形成された片持ちアーム５７に担持された掛止め壁５５に単一の弾性的な後方掛止め歯５４が形成される設計とすることにより、コネクタを基部４１に確実に掛止め係合させることが可能となる。また、この設計により、コネクタ４３と掛止め壁５５との間にねじ回しを差し込んで、該壁５５を外方に撓ませ、後方掛止め歯５４を後方取り付けスロット４８から非係合状態にするだけで超小型のコネクタ・モジュールを基部４１から容易に取り外すことが可能となる。
【００１３】
図１及び図２に図示するように、基部４１には又、ワイヤー挿入孔５９と、取り付け穴６０と、ワイヤー位置決めガイド６１と、カバー４２に係合するカバー整合フランジ６２とが形成されている。
【００１４】
図１２乃至図１７に図示した本発明のもう一つの実施例は、単一体のプラスチック製壁板６５である。壁板６５は複数のコネクタ４３に着脱可能に掛止めして、コネクタを標準的な受容器箱内に取り付け得る設計とされている。図１に最も良く図示したコネクタ４３は、横方向ストッパ６７と、壁板６５に形成された中間ストッパ６８の横方向部分とを受け入れ得るように配置された隅部スロット６６を備えている。壁板６５は、コネクタ受け入れ孔６９を複数、備えており、その孔の各々は、コネクタを受け入れる二つの位置を有し、その受け入れ位置の各々は、孔６９の下方縁部に形成された掛止め歯７０を含み、孔６９はその末端に刺状部分７２が形成された弾性的な片持ち状掛止めアーム７１と対向している。孔６９の各々の上縁部には、横方向ストッパ６７、６８が形成されており、その中間には、掛止めアーム７１が配置されている。これらの横方向ストッパ６７、６８は、共に、コネクタの取り付け位置の各々に対して孔の各横方向隅部にストッパを画成する。壁板６５内へのコネクタ４３の取り付けは次のようにして行う。即ち、中央底部の取り付けスロット５０の切欠き５１内に掛止め歯７０を挿入する（図９）。また、コネクタ４３を上方に回転させて、壁板６５の弾性的なアーム７１に設けられた刺状部分７２（図１６）を経てコネクタ４３の後方縁部７３を位置決めし（図８参照）、更に、ストッパ６７、６８をコネクタ４３の隅部スロット６６内に配置し、コネクタ４３をストッパ６７、６８と刺状部分７２との間で確実に掛止めし、掛止め歯７０がコネクタ４３の底縁部が前方に動くのを防止するようにして取り付けられる。
【００１５】
特定の適用例の場合、遮蔽モジュラー・コネクタを接地壁板又はパッチ・パネルに取り付けることが望ましい。遮蔽コネクタは、該コネクタの外面を包み込む金属製ケースを備えるようにして製造される。
【００１６】
本発明の一つの代替的な実施例が単一体の金属製壁板７５として図１８乃至図２４に図示されている。壁板７５は、ステンレス鋼で出来ており、平面状の片持ち掛止めアーム７６がコネクタの受け入れ開口部７７の上縁部に沿って壁板７５の面に対して垂直に形成されている。アーム７６と対向状態に形成されているのは、コネクタ４３の第二の中央底部取り付けスロット５０に係合し得るように配置されて中間位置に設けられた歯７９である。アーム７６に横方向に隣接して壁板７５に形成されたスロット８０は、アーム７６に更なる弾性力を持たせる。掛止めアーム７６は、該アーム７６の末端の中間に形成された刺状部分８１を備えており、該刺状部分は、コネクタ４３の後縁部７３に係合し得るように配置されている。開口部７７の上縁部に沿って横方向ストッパ８３が形成されている。
【００１７】
コネクタ４３の同一の取り付けスロットを含み得るような構造とされた遮蔽コネクタ８４は、図２０乃至図２４に図示されており、コネクタは金属製遮蔽体８５内に包み込まれている。遮蔽コネクタ８４を壁板７５に掛止めしたとき、コネクタ８４の遮蔽体８５は、金属製の壁板７５の金属製縁部及び弾性的な掛止めアーム７６に係合して、コネクタ遮蔽体８５を壁板７５に導電状態に接続し、遮蔽体８５と壁板７５とを自動的に接地させる。
【００１８】
図２０乃至図２３に図示するように、中央の底部取り付けスロット５０（図示せず）内に歯７９を配置し、また、コネクタ８４を回転させて、掛止めアーム７６の刺状部分８１と係合させることにより、横方向ストッパ８３が隅部スロット６６内に配置された状態でコネクタ８４は壁板７５に掛止めされる。
【００１９】
図２５及び図２６には、４つの遮蔽コネクタモジュールを個々に取り付け得るように配置された、図１８乃至図２４の同一のコネクタ取り付け機能部分を有する鋼製のパッチ・パネル８７の一部分が図示されている。該パッチ・パネル８７には、典型的にコネクタ・モジュールの取り付け穴８８が６つ形成されており、その穴の各々が４つのコネクタ８９を取り付ける。
【００２０】
図２７乃至図３１に図示した本発明のもう一つの実施例は、高密度モジュラー式コネクタ・パッチ・パネルの受容器９０である。図３１に最も良く図示するように、受容器９０は、該受容器９０をパッチ・パネルの取り付けフレームに取り付ける取り付け穴９２を有する取り付けブラケット９１を備えている。ブラケット９１は、受容器９０の各側部にて同一の二つのコネクタのＣ溝形取り付けストリップ９４に溶接されるが、図３１には、左側ブラケット９１、及び受容器９０のコネクタ取り付けストリップ９４の第一の部分のみが示してある。各ストリップの第一の部分には、４つのモジュラー式遮蔽コネクタ９６を取り付け得る形態とした孔９５が形成されている（図２７）。
【００２１】
コネクタ取り付けストリップ９４の各々は、図３１に図示するように、Ｃ字形の断面を形成し得るように、面部分１００の両縁部に形成された上方及び下方の片持ちフランジ９８、９９と一体にステンレス鋼で形成されている。このＣ字形の断面は、連続する４つのコネクタ部分に典型的に２４個のコネクタを受け入れ得るように伸長する取り付けストリップに対して必要とされる剛性を付与する。面部分１００には、４つのコネクタ９６を受け入れ得る形態とすることが好ましい孔９５が形成されている。
【００２２】
図２８及び図３０に図示するように、上方フランジ９８は、弾性的な片持ち状掛止めアーム１０２を複数、備えており、該掛止めアームの各々は、各アーム１０２の両横方向縁部に形成された一対の掛止め刺状部分１０３を備えており、該刺状部分１０３は、コネクタ９６の後縁部に係合し得るように配置されている。また、各掛止めアーム１０２と整合状態にて上方フランジ９８には、離間したストッパ１０４が一対、形成されており、該一対のストッパは、コネクタ９６の前面に形成された隅部スロット１０５に係合し得る位置に配置されている。下方フランジ９９は、Ｖ字形の歯１０７（図３０参照）を有する弾性的な片持ち状掛止め部１０６を備えており、該掛止め部は、コネクタ９６の底部の中央取り付けスロット１０８内に掛止めされ得るように配置されている。片持ち状掛止め部１０６は、下方フランジ９９に形成されたスロット１０９により画成されている（図２９参照）。下方フランジ９９は、コネクタ９６の全長の相当部分に亙って伸長し、また、コネクタを位置決めする台座として機能する。面１００の底部ストッパ部分１１０は、コネクタ９６の下方縁部の上方を亙って伸長し、また、下方ストッパとして機能する。掛止め刺状部分１０３を非係合状態にし且つコネクタを引き出すことにより、コネクタ９６を受容器９０から解放させることができ、コネクタを引き抜いたとき、片持ち状掛止め部１０６がコネクタから係合解除されるようにカム動作するのに十分な弾性を備えている。
【００２３】
図３２乃至図３８に図示した本発明の別実施例は、ステンレス鋼製モジュラー式のコネクタ・パッチ・パネル受容器１１２である。該受容器１１２は、図３５に図示するように、４つのコネクタ１１５を解放可能に取り付け得る形態とされた孔１１４を有する面部分１１３を備えている。コネクタ１１５は、その内容を引用して本明細書の一部に含めた米国特許第５，１１８，３１０号に記載されたようなモジュラー式電話用コネクタである。典型的に、各パッチ・パネルの受け入れ部１１２の各々には、孔１１４が６つ形成されている。上方フランジ１１６及び下方フランジ１１７は、面部分１１３に対して垂直に形成されて、受容器１１２に対して構造的堅牢さを提供する。受容器１１２の各端部には、取り付け穴１１８が形成されている。
【００２４】
コネクタ１１５の後縁部に係合し得るように配置されたフック状歯１２１が形成された片持ち状掛止め部１２０と、孔１１４の対向縁部の中間に形成された対向する歯１２２とによって、コネクタ１１５は受容器１１２に取り付けられる。掛止め部１２０は、受容器１１２の面１１３に対して略垂直に突出する。該掛止め部１２０は、十分に長く且つコネクタ１１５の上面に弾性的に係合し、更に、コネクタ１１５が受容器１１２から前方に動くのを阻止し得るようにコネクタ１１５に関する位置に配置されている。
【００２５】
歯１２２は、面１１３から内方に入り込んでおり、また、該歯１２２は、コネクタ１１５の底部が内方に動くのを防止し得るようにコネクタ１１５の中央取り付けスロット１２４内に挿入される位置に配置されている。コネクタ１１５の底縁部が外方に動くことは、コネクタ１１５の下方縁部と締まり嵌めする位置に配置され、コネクタ１１５の面内にある横方向底部ストッパ１１９により防止される（図３２参照）。
【００２６】
図３６及び図３７に最も良く図示するように、片持ち状掛止め部１２０は、掛止め部１２０の端部に一体に形成されたＣ字形の解放タブ１２５を備えている。Ｃ字形の解放タブは、工具受け入れ孔１２６を画成し、孔１２６は、孔１２６にねじ回しを差込み且つ歯１２１をコネクタ１１５から非係合状態にすることにより、掛止め部１２０を容易に解放して、取り付けたコネクタを受容器１１２から取り外すことを可能にする。
【００２７】
本発明の特別な好適な実施例を図示し且つ説明したが、本発明の教示から逸脱せずに、その変更及び応用例が可能であることが当業者に明らかであろう。
【図面の簡単な説明】
【００２８】
【図１】本発明の思想を具体化するコネクタ受容器箱組立体の分解斜視図である。
【図２】図１のコネクタ受容器箱組立体の基部の平面図である。
【図３】該基部の正面図である。
【図４】図２の線４−４に沿った断面図である。
【図５】図２の線５−５に沿った断面図である。
【図６】該基部の側面図である。
【図７】モジュラー式コネクタの正面図である。
【図８】図７のコネクタの斜視図である。
【図９】図７のコネクタの底面図である。
【図１０】図７のコネクタの断面図である。
【図１１】図７のコネクタの背面図である。
【図１２】本発明の思想を具体化する壁板受容器の斜視図である。
【図１３】図１２の壁板の側面図である。
【図１４】図１２の壁板の背面図である。
【図１５】図１２の壁板の正面図である。
【図１６】図１５の線１６−１６に沿った断面図である。
【図１７】図１２の壁板の平面図である。
【図１８】本発明の思想を具体化する金属製壁板受容器の正面図である。
【図１９】壁板に掛止めされたコネクタを図示する図１８の金属製壁板の正面図である。
【図２０】遮蔽されたコネクタの最初のコネクタ挿入位置を示す、図１８の金属製壁板の部分側面図である。
【図２１】遮蔽されたコネクタの最初のコネクタ挿入位置を示す、図１８の壁板の部分斜視図である。
【図２２】壁板に掛止めされたコネクタを示す、図１８の壁板の部分斜視図である。
【図２３】壁板に掛止めされたコネクタを示す、図１８の壁板の部分側面図である。
【図２４】壁板に掛止めされたコネクタを示す、図１８の壁板の部分正面図である。
【図２５】図１８の壁板の同一のコネクタ掛止め構造体を有するパッチ・パネルの部分正面図である。
【図２６】図２５のパッチ・パネルに掛止めされたコネクタを示す、図である。
【図２７】本発明の思想を具体化する高密度のパッチ・パネル・コネクタ受容器の部分正面図である。
【図２８】図２７のパッチ・パネルのコネクタ取り付けストリップの一つの部分平面図である。
【図２９】図２７のパッチ・パネルのコネクタ取り付けストリップの一つの部分底面図である。
【図３０】図２７の線３０−３０に沿った断面図である。
【図３１】図２７の高密度パッチ・パネルの後方部分背面図である。
【図３２】本発明の思想を具体化するパッチ・パネル・コネクタ受容器の部分正面図である。
【図３３】図３２のパッチ・パネルの背面図である。
【図３４】図３２のパッチ・パネルの側面図である。
【図３５】図３２の線３５−３５に沿った断面図である。
【図３６】図３２のパッチ・パネルのコネクタ掛止め部の部分正面斜視図である。
【図３７】図３２のパッチ・パネルのコネクタ掛止め部の部分背面斜視図である。
【図３８】図３２のパッチ・パネルの正面図である。
【符号の説明】
【００２９】
４０  コネクタ受容器組立体      ４１  プラスチック製基部
４２  プラスチック製カバー      ４３  連通コネクタ
４４  ソケット                  ４６  前面取り付けスロット
４８  後方取り付けスロット      ５０  中央底部取り付けスロット
５１  切欠き                    ５３  前面掛止め歯
５４  後方掛止め歯              ５５  掛止め壁
５７  片持ちアーム              ５８  スロット
５９  ワイヤー挿入孔            ６０  取り付け穴
６１  ワイヤー位置決めガイド    ６２  整合フランジ
６５  プラスチック製壁板        ６６  隅部スロット
６７  横方向ストッパ            ６８  中間ストッパ
６９  コネクタ受け入れ孔        ７０  掛止め歯
７１  掛止めアーム              ７２  刺状部分
【図１】
2004158459.tif 000003
【図２】
2004158459.tif 000004
【図３】
2004158459.tif 000005
【図４】
2004158459.tif 000006
【図５】
2004158459.tif 000007
【図６】
2004158459.tif 000008
【図７】
2004158459.tif 000009
【図８】
2004158459.tif 000010
【図９】
2004158459.tif 000011
【図１０】
2004158459.tif 000012
【図１１】
2004158459.tif 000013
【図１２】
2004158459.tif 000014
【図１３】
2004158459.tif 000015
【図１４】
2004158459.tif 000016
【図１５】
2004158459.tif 000017
【図１６】
2004158459.tif 000018
【図１７】
2004158459.tif 000019
【図１８】
2004158459.tif 000020
【図１９】
2004158459.tif 000021
【図２０】
2004158459.tif 000022
【図２１】
2004158459.tif 000023
【図２２】
2004158459.tif 000024
【図２３】
2004158459.tif 000025
【図２４】
2004158459.tif 000026
【図２５】
2004158459.tif 000027
【図２６】
2004158459.tif 000028
【図２７】
2004158459.tif 000029
【図２８】
2004158459.tif 000030
【図２９】
2004158459.tif 000031
【図３０】
2004158459.tif 000032
【図３１】
2004158459.tif 000033
【図３２】
2004158459.tif 000034
【図３３】
2004158459.tif 000035
【図３４】
2004158459.tif 000036
【図３５】
2004158459.tif 000037
【図３６】
2004158459.tif 000038
【図３７】
2004158459.tif 000039
【図３８】
2004158459.tif 000040
【手続補正書】
【提出日】平成16年1月21日(2004.1.21)
【手続補正１】
【補正対象書類名】特許請求の範囲
【補正対象項目名】全文
【補正方法】変更
【補正の内容】
【特許請求の範囲】
【請求項１】
受容器組立体にして、
コネクタを受け入れ且つ取り付け得るように離間した第一及び第二の縁部を有する孔が形成されたコネクタ取り付け受容器を備え、該受容器が、第一の縁部に隣接して形成された弾性的なコネクタ係合掛止め部と、前記第二の縁部に隣接して形成されたコネクタ係合歯と、前記孔の横方向隅部の前記掛止めに隣接して形成された離間された横方向ストッパとを備え、
該孔の第二の縁部に形成された前記歯に係合し得るように前記コネクタの前面の第一の縁部に隣接して形成されたスロット手段と、コネクタの前面の隣接する隅部に形成された離間された隅部スロットとを有するコネクタを備え、
該隅部スロットが、コネクタの前面から引っ込み且つコネクタを前記受容器に掛止めしたとき、前記コネクタの取り付け受容器の横方向ストッパを受け入れ得るように配置されたことを特徴とする受容器組立体。
【請求項２】
請求項１に記載の受容器組立体にして、前記受容器が導電性金属で一体に形成され、
前記コネクタが、該コネクタを前記受容器に掛止めしたとき、該受容器に導電可能に接地された導電性の遮蔽面を備えることを特徴とする受容器組立体。
【請求項３】
請求項２に記載の受容器組立体にして、前記コネクタ掛止め部が、前記受容器の面に対して垂直に配置された平面状の片持ち状アームであり、該片持ち状アームが、前記コネクタの後縁部に係合し得るように配置された該片持ち状アームの面外に形成された刺状部分を有することを特徴とする受容器組立体。
【請求項４】
請求項２に記載の受容器組立体にして、前記コネクタ掛止め部が、前記受容器の面に対して垂直に配置された平面状の片持ち状アームであり、該片持ち状アームが、該アームの対向する横縁部で該片持ち状アームの面外に形成された刺状部分を有し、該刺状部分が前記コネクタの後縁部に係合し得るように配置されることを特徴とする受容器組立体。
【請求項５】
請求項２に記載の受容器組立体にして、前記受容器が、前面と、第一のフランジと、第二のフランジとを備え、
前記掛止め部が、該第一のフランジに形成され、前記コネクタ係合歯が、前記第二のフランジに形成されることを特徴とする受容器組立体。
【請求項６】
請求項５に記載の受容器組立体にして、前記コネクタ係合歯がＶ字形であり、該歯が、前記第二のフランジに形成された片持ち状アームの末端に形成され、該コネクタを引き出すだけで該コネクタを前記歯から非係合状態にさせることができることを特徴とする受容器組立体。
【請求項７】
請求項２に記載の受容器組立体にして、前記コネクタ係合掛止め部が、該掛止め部を前記コネクタから係合解除し易くする解放タブ手段を備えることを特徴とする受容器組立体。
【請求項８】
コネクタ受容器にして、
略平面状の面に形成された孔を有する単一体の導電性金属本体を備え、該孔が、コネクタを受け入れ且つ取り付け得るように離間された第一及び第二の縁部を有し、
該孔の第一の縁部に隣接する面から略垂直に突出する弾性的で片持ち状のコネクタ係合掛止め部と、前記第二の縁部に形成されたコネクタ係合歯とを備えることを特徴とするコネクタ受容器。
【請求項９】
請求項８に記載の受容器にして、前記孔の横方向隅部に前記掛止めに隣接して形成された、離間した横方向ストッパを備えることを特徴とする受容器。
【請求項１０】
請求項８に記載の受容器にして、前記コネクタ掛止め部が前記受容器の面に対して垂直に配置された平面状の片持ち状アームであり、該アームが、前記コネクタの後縁部に係合し得るように配置された、該片持ち状アームの面外に形成された刺状部分を備えることを特徴とする受容器。
【請求項１１】
請求項８に記載の受容器にして、前記コネクタ掛止め部が前記受容器の面に対して垂直に配置された平面状の片持ち状アームであり、該アームが、該アームの対向する横方向縁部の片持ち状アームの面外に形成されたコネクタ係合刺状部分を備えることを特徴とする受容器。
【請求項１２】
請求項１１に記載の受容器にして、前記受容器が、前面と、第一のフランジと、第二のフランジとを有するＣ字形の形状であり、
前記掛止め部が該第一のフランジに形成され、前記コネクタ係合歯が該第二のフランジに形成されることを特徴とする受容器。
【請求項１３】
請求項１２に記載の受容器にして、前記コネクタ係合歯がＶ字形であり、該コネクタ係合歯が、前記第二のフランジに形成された片持ち状アームの末端に形成され、該コネクタを引き出すだけで該コネクタが前記歯から非係合状態にし得るようにしたことを特徴とする受容器。
【請求項１４】
請求項８に記載の受容器にして、前記コネクタ係合掛止め部が、前記コネクタからの掛止め部の係合解除を促進させる解放タブ手段を備えることを特徴とする受容器。
【請求項１５】
請求項８に記載の受容器にして、前記コネクタ係合歯が、前記平面状面から内方に引っ込んでいることを特徴とする受容器。
【請求項１６】
請求項１０に記載の受容器にして、前記刺状部分がフック状の形状であることを特徴とする受容器。